(57)【要約】【課題】警報器と壁との間に埃や昆虫等が侵入し難く、意匠性の向上した警報器の取付構造を提供する。を提供する。【解決手段】フック部材２を用いて壁に取り付ける警報器Ｋの取付構造であって、フック部材２を取り付ける凹部を警報器Ｋの裏面に設け、フック部材２を凹部に取り付けたとき、凹部の内周縁部とフック部材２の外周縁部とが一致し、警報器Ｋの裏面とフック部材２の裏面とが面一となるように構成してある。【選択図】    図２
2006338308.tif 000002
【特許請求の範囲】
【請求項１】
フック部材を用いて壁に取り付ける警報器の取付構造であって、
前記フック部材を取り付ける凹部を前記警報器の裏面に設け  、
前記フック部材を前記凹部に取り付けたとき、前記凹部の内周縁部と前記フック部材の外周縁部とが一致し、前記警報器の裏面と前記フック部材の裏面とが面一となるように構成してある警報器の取付構造。
【請求項２】
前記フック部材が、当該フック部材を壁に取り付ける固定部材が貫通可能な孔部を備えると共に、前記孔部を挟んで一方の側に、前記警報器の裏面と略平行な方向から前記凹部に係合可能な第１係止部を備え、前記孔部を挟んで他方の側に、前記警報器の裏面に略垂直な方向に係合可能な第２係止部を備えた請求項１に記載の警報器の取付構造。
【請求項３】
前記フック部材に、前記固定部材とは別の固定部材を挿入可能な第２孔部を備えている請求項２に記載の警報器の取付構造。
【請求項４】
前記警報器が、センサ機構を内蔵する警報器本体を有すると共に、当該警報器本体の裏側部材に取り付け可能であって当該裏側部材との間に電源コードの収容部を形成する第１ケース部材と、当該収容部に収容された電源コードを覆う第２ケース部材とを備えてあり、
前記第１ケース部材の表面と前記第２ケース部材の表面とが前記警報器の裏面をなし、互いに隙間がなく面一となるように構成してある請求項１から３の何れか一項に記載の警報器の取付構造。
【請求項５】
前記凹部が開口部を備えつつ前記第１ケース部材に設けてあり、当該開口部に係合可能なツメ部を前記警報器本体の裏側部材に立設して、前記警報器本体と前記第１ケース部材とを接続可能に構成し、
前記凹部に前記フック部材を係合させたとき、当該フック部材が前記開口部に係合している前記ツメ部の係合解除を阻止する位置に配置されるよう構成してある請求項４に記載の警報器の取付構造。
【発明の詳細な説明】
【技術分野】
【０００１】
本発明は、フック部材を用いて壁に取り付ける警報器に関する。
【背景技術】
【０００２】
従来のフック部材を用いて壁に取り付け可能な警報器では、例えば、警報器本体と略同じか小さい面積を有する取付プレートを壁に取り付け、この取付プレートに警報器本体を掛止めするものがあった。
具体的には、取付プレートの四隅に設けた夫々の孔部に木ネジを挿通したり、あるいは、取付プレートの背面に貼付した両面テープなどを用いて、まず、当該取付プレートを壁に固定する。この取付プレートには、例えば、略Ｌ字状のフックが突設してあり、このフックを警報器の背面に設けた孔部に挿入して引掛ける。これにより、警報器本体はフックに吊り下げられた状態で壁に固定される。
本構成であれば、比較的簡単な作業で室内の任意の個所に警報器を取り付けることができる。
【発明の開示】
【発明が解決しようとする課題】
【０００３】
しかし、上記従来の警報器の取り付け構造では、取付プレートと警報器本体との間、あるいは、取付プレートと壁との間に隙間が存在すると、当該隙間に埃が溜まったり、小さな昆虫等が侵入することがある。警報器の背面部分は、警報器の発熱によってある程度の暖かさを維持しているから、当該隙間で昆虫等が営巣することもある。この結果、警報器の背面部分を頻繁に清掃する必要があった。室内から警報器が視認できる場合には、極めて見栄えの悪いものとなっていた。また、場合によっては、このような昆虫等が警報器の内部に侵入し、回路が短絡する等のトラブルの原因にもなっていた。
【０００４】
さらに、警報器が電源コードを用いるタイプのものでは、余った電源コードは警報器背面の掛止め部分に単に巻きつける等して処理していた。この結果、警報器の背面部分の外観が非常に悪くなり、電源コードどうしの間に埃や昆虫等がさらに入り易い状態となっていた。
【０００５】
そこで、本発明は上記実状に鑑み、警報器と壁との間に埃や昆虫等が侵入し難く、意匠性の向上した警報器の取付構造を提供することを目的とする。
【課題を解決するための手段】
【０００６】
（特徴構成１）
本発明に係る警報器の取付構造の特徴構成は、フック部材を用いて壁に取り付けるものであって、前記フック部材を取り付ける凹部を前記警報器の裏面に設け、前記フック部材を前記凹部に取り付けたとき、前記凹部の内周縁部と前記フック部材の外周縁部とが一致し、前記警報器の裏面と前記フック部材の裏面とが面一となるように構成した点にある。
【０００７】
（作用効果）
本構成のごとく、フック部材を警報器の裏面に形成した凹部に取り付けたとき、凹部の内周縁部とフック部材の外周縁部とが一致することで、警報器の裏側の表面が略完全に覆われることとなる。この結果、警報器の内部に小さな昆虫等が浸入するのを防止することができる。
また、警報器の裏面とフック部材の裏面とが面一となるから、警報器を壁に対して隙間なく取り付けることができる。よって、壁と警報器との隙間で昆虫が営巣したり、埃が溜まる等の不都合を防止することができる。
【０００８】
（特徴構成２）
本発明に係る警報器の取付構造としては、前記フック部材が、当該フック部材を壁に取り付ける固定部材が貫通可能な孔部を備えると共に、前記孔部を挟んで一方の側に、前記警報器の裏面と略平行な方向から前記凹部に係合可能な第１係止部を備え、前記孔部を挟んで他方の側に、前記警報器の裏面に略垂直な方向に係合可能な第２係止部を備えるように構成することができる。
【０００９】
（作用効果）
本構成のごとく、フック部材において孔部を挟んで第１係止部と第２係止部とを備えることで、第１係止部と第２係止部との間隔をできるだけ長く確保することができる。この結果、警報器本体を回転させようとする外力が作用した場合に、当該外力に対抗し易くなり、壁に対する警報器をより強固に取付けることができる。
【００１０】
（特徴構成３）
本発明の警報器の取付構造においては、前記フック部材に、前記固定部材とは別の固定部材を挿入可能な第２孔部を設けることができる。
【００１１】
（作用効果）
本構成のごとく、フック部材を二種類の固定部材を用いて壁部に固定できるものであれば、例えば、壁に対するフック部材の取り付けをより強固にすることができる。たとえば、一方の孔部に取り付けた固定部材によって、警報器の重量を負担できるようにフック部材を壁に取り付け、他方の孔部に取り付けた別の固定部材によって、壁に対するフック部材の回転を阻止するなど、フック部材の取付状態を安定化させることができる。
【００１２】
（特徴構成４）
本発明の警報器の取付構造においては、前記警報器が、センサ機構を内蔵する警報器本体を有すると共に、当該警報器本体の裏側部材に取り付け可能であって当該裏側部材との間に電源コードの収容部を形成する第１ケース部材と、当該収容部に収容された電源コードを覆う第２ケース部材とを備えてあり、前記第１ケース部材の表面と前記第２ケース部材の表面とが前記警報器の裏面をなし、互いに隙間がなく面一となるように構成することができる。
【００１３】
（作用効果）
本構成のごとく、警報器本体の裏側部材に取り付け可能であって当該裏側部材との間に電源コードの収容部を形成する第１ケース部材を設けることで、長過ぎて使用しない電源コードの一部を効率的に警報器の内部に収納することができ、外観の意匠性を向上する。
さらに、当該収容部に収容された電源コードを覆う第２ケース部材を備えることで、さらに電源コードが外部から視認し難く、意匠性を向上することができる。
そして、第１ケース部材の表面と第２ケース部材の表面とが警報器の裏面をなすものであれば、警報器を壁に対して隙間なく取り付けることができ、取付た状態においても外観が美しいものとなる。警報器本体を壁との隙間を無くすことができればこの部分に埃が溜まったり、昆虫が営巣する等の不都合も生じない。
【００１４】
（特徴構成５）
本発明の警報器の取付構造においては、前記凹部が開口部を備えつつ前記第１ケース部材に設けてあり、当該開口部に係合可能なツメ部を前記警報器本体の裏側部材に立設して、前記警報器本体と前記第１ケース部材とを接続可能に構成し、前記凹部に前記フック部材を係合させたとき、当該フック部材が前記開口部に係合している前記ツメ部の係合解除を阻止する位置に配置されるよう構成することができる。
【００１５】
（作用効果）
本構成のごとく、警報器本体に立設したツメ部が第１ケース部材に設けた開口部に係合し、さらに当該開口部にフック部材を係合させるとき、ツメ部の係合解除を阻止する位置に配置することで、仮に、警報器を壁に取り付けた後、警報器に何らかの外力が作用した場合でも、ツメ部が第１ケース部材から離脱し難くなる。よって、壁に対する警報器の取付け状態をより安定化させることができる。
【発明を実施するための最良の形態】
【００１６】
（概要）
本発明に係る警報器Ｋの一実施形態を図面に基いて説明する。
図１には、当該警報器Ｋを壁１に取り付けた状態を示す。図２には、取り付けが完了した警報器Ｋを壁１の側から見た状態を示す。本発明の警報器Ｋは、専用のフック部材２を壁１に取り付け、このフック部材２に警報器Ｋを係止して固定する。このとき、警報器Ｋの背面全体が壁１に隙間なく当接するよう構成してある。
【００１７】
また、当該警報器Ｋは、電源コード３を備えている。当該電源コード３は、付近のコンセントまで届くように十分な長さを備えており、警報器Ｋの設置場所に応じて必要な長さだけを警報器Ｋの外部に露出させることができる。余分な電源コード３は警報器Ｋの内部に収納可能である。本発明の警報器Ｋでは、この余分な電源コード３を効率よくまとめて収納することができる。
【００１８】
本構成により、電源コード３を上手く処理して意匠性に優れた警報器Ｋを得ることができる。さらに、壁１と警報器Ｋとの間の隙間を無くすことができるため、壁１と警報器Ｋとの間に埃が溜まることがなく、小さな昆虫が営巣するといった不都合が生じるのを防止することができる。
以下、本発明につき図面に基づいて説明する。
【００１９】
（警報器本体）
本発明の警報器Ｋとしては、例えば、ガス警報器や火災警報器、あるいは、空気汚れ警報器等、一般に用いられる壁掛け式の各種の警報器Ｋが該当する。当該警報器Ｋは、例えば、都市ガス検知センサや一酸化炭素センサ、あるいは、温度センサ・煙センサ等、用途に応じた各種のセンサ機構を内蔵する警報器本体４を有する。警報器本体４は、室内側に向く表側部材４ａと、壁１の側に向く裏側部材４ｂとで構成してある。表側部材４ａには、検知対象ガスが流通可能な検知部５の他、警報内容を知らせるＬＥＤ６・ブザー７、さらには、点検操作ボタン８等が設けてある。
一方、前記裏側部材４ｂには、電源コード３を巻き付ける第１ケース部材９および当該電源コード３を覆う第２ケース部材１０等を取り付けることができる。
【００２０】
（第１ケース部材）
第１ケース部材９は、前記警報器本体４の裏側部材４ｂに取り付けられ、当該裏側部材４ｂとの間の空間に電源コード３を巻き付け収納する収容部１１を形成する。図８に示すごとく、当該第１ケース部材９には、第１開口部１２及び第２開口部１３の二つの開口部を設けてある。一方、前記裏側部材４ｂには、図４および図５に示すごとく、３本のツメ部１４を立設してある。このうち、２本のツメ部１４を警報器本体４の上方側に設けた第１開口部１２の周縁に係合させる。また、１本のツメ部１４を警報器本体４の下方側に設けた第２開口部１３の周縁に係合させる。これにより、図６に示すごとく、裏側部材４ｂに第１ケース部材９を取り付けることができる。
【００２１】
尚、図視は省略するが、前記第１開口部１２および前記第２開口部１３は、後述する第２ケースに設けても良い。要するに、警報器の裏面を構成する何れかの部材にフック部材２を取り付けるものであれば何れの構成であっても良い。
【００２２】
第１ケース部材９の内側には、図８（ロ）に示すごとく、電源ケーブルの巻き付けに際して芯部材となるリール部１５を設けてある。当該リール部１５は、前記第１開口部１２の周辺と第２開口部１３の周辺とに分散して設けてある。このリール部１５は、第１ケース部材９を前記裏側部材４ｂに取り付ける際の両部材の間隔を決定する。
【００２３】
電源コード３の巻き付け態様を図６（イ）に示す。即ち、裏側部材４ｂの隅部から取り出した電源コード３は、裏側部材４ｂに設けた溝１６の内部を通し、第１ケース部材９の内側に突出形成した掛止め部１７に引掛ける。このあと、前記リール部１５に電源コード３を巻き付ける。警報器Ｋの取付けに必要な長さの電源コード３を残して巻き付け、当該電源コード３を第１ケース部材９の隅部に設けたスリット１８に挿通させる。第１ケース部材９には、図６に示すごとく、巻き付けた電源コード３が崩れないように保持するフランジ部１９を有する。これらの構成により、電源コード３を効率よく所定の長さに調節することができる。
【００２４】
当該第１ケース部材９の外側面には、図８（イ）（ロ）に示すごとく、前記第１開口部１２と前記第２開口部１３とに渡って凹部２０を形成してある。当該凹部２０によって、前記フック部材２に第１ケース部材９を取り付けた際に、前記フック部材２が第１ケース部材９に埋没し、両者の表面どうしが段差のない面一な状態となる。
【００２５】
このとき、図２に示すごとく、前記フック部材２は、前記三つのツメ部１４の内部に配置した状態となる。前記三つのツメ部１４は、第１開口部１２および第２開口部１３の内縁部に対して外向きに係合する。これらツメ部１４の内部にフック部材２を配置したとき、ツメ部１４の側面とフック部材２の側面とが略当接するか、あるいは近接した状態となる。この結果、当該フック部材２は、夫々の開口部に係合している前記ツメ部１４の係合解除を阻止する機能を奏する。本構成であれば、警報器Ｋを壁１に取り付けた後、警報器Ｋに何らかの外力が作用した場合でも、前記ツメ部１４が前記第１ケース部材９から離脱し難くなる。よって、警報器Ｋをより確実に取り付けることができる。
【００２６】
（第２ケース部材）
前記第１ケース部材９に電源コード３を巻き付けた後、さらに前記警報器本体４に第２ケース部材１０を取り付ける。取付け機構は、図４および図５に示すとおり、警報器本体４の側部に設けた被係止部２１に、第２ケース部材１０の対応する位置に設けた係止部２２を係合させる。これにより、電源コード３を覆うことができ、警報器Ｋの意匠性を高めることができる。
【００２７】
当該第２ケース部材１０には、前記第１ケース部材９の外形と一致する開口部２３を設けてある。さらに、当該開口部２３の内面側には、図５に示すごとく、第１ケース部材９の縁部との密着性を高めるために段加工部１０ａを設けてある。これにより、第１ケース部材９と第２ケース部材１０との間に隙間が生じることが無く、警報器Ｋの裏側の表面がより一体感のある面一状態となる。本構成によって、警報器Ｋの背面側の意匠性が向上し、さらに、取り付ける壁１との間に隙間が生じないから、小さな昆虫等が警報器Ｋの内部に侵入するのを防止することができる。
【００２８】
（フック部材）
上記の警報器Ｋは専用のフック部材２によって取り付ける。当該フック部材２を前記第１ケース部材９に取付けた状態を図２に示す。このように、当該フック部材２を取り付けたとき、前記凹部２０の内周縁部と前記フック部材２の外周縁部とが一致し、警報器Ｋの裏側の表面に対してフック部材２の表面が面一となるように構成してある。即ち、第１ケース部材９および第２ケース部材１０、フック部材２によって構成される警報器Ｋの裏面が面一の平面となる。このように警報器Ｋの裏側の表面が略完全に覆われることで、警報器Ｋの内部に対する小さな昆虫の進入が完全に阻止される。
【００２９】
前記フック部材２の詳細を図７に示す。同７図（イ）は、警報器Ｋの内側からフック部材２を見た図であり、同７図（ロ）は側面から見た図であり、同７図（ハ）は、壁１の側から見た図である。
【００３０】
当該フック部材２は、図５に示すごとく、木ネジ２４ａ等の固定部材２４によって壁１に取り付ける。そのために、固定部材２４が貫通可能な孔部（以下、第１孔部２５と称する）を備える。この第１孔部２５は、単なる貫通孔であるが、図７（イ）（ロ）に示すごとく、木ネジ２４ａの頭部を埋没させるための段部２６を形成してある。
【００３１】
さらに、フック部材２は、前記第１孔部２５を挟んで一方の側に、第１ケース９の平面と略平行な方向にスライドさせて前記第１開口部１２および凹部２０に係合可能な第１係止部２７を備える。第１係止部２７の上端部は、第１ケース部材９の第１開口部１２に係止し易いようにテーパー部２８を備えている。第１係止部２７には、図７（ロ）（ハ）に示すごとく規制面２９を設けてある。これにより、第１開口部１２に対する第１係止部２７の係止位置が決定される。この係止により、警報器Ｋの重量の殆どを当該第１係止部２７が負担する。
【００３２】
一方、前記第１孔部２５を挟んで第１係止部２７と反対側には第２係止部３０を設けてある。当該第２係止部３０は、フック部材２の端部に設けてあり、警報器Ｋの内部に向かって突出した形状を有する。ここでは、第２係止部３０は、第１ケース部材９の外側面に対して略垂直な方向に係止するだけである。しかし、第２係止部３０は、警報器Ｋの内部に向かう所定長さの突出部を有するので、第２開口部１３に対する係合が確実なものとなる。
【００３３】
このように、フック部材２の略両端部に第１係止部２７と第２係止部３０とを備えることで、第１係止部２７と第２係止部３０との距離をできる限り長く確保することができる。よって、フック部材２に対する第１ケース部材９の回転を最小限に抑えることができ、壁１に対する警報器Ｋの取付けがより確実なものとなる。
【００３４】
前記フック部材２には、図５および図７に示すごとく、前記木ネジ２４ａ等の固定部材２４とは別の固定部材を挿入可能な第２孔部３１を備えている。前記第１孔部に木ネジ２４ａ等を挿入しただけではフック部材２が回転するおそれがある。例えば、図１乃至図３に示すように、警報器本体４の前面には、点検用のボタン８を設けてあり、警報器Ｋが室内の高所に取り付けた場合等に、当該ボタン８を操作し易くするために、ボタン８の下部に操作紐３２を取り付けてある。この操作紐３２は任意の方向に引張り可能であるため、壁１に対するフック部材２の取付が緩いと警報器Ｋが回転するおそれが生じる。そのため、本構成のように、前記第１孔部２５とは別の箇所に第２孔部３１を設ける。
【００３５】
例えば、図７に示すごとく、第２係止部３０に近い位置に第２孔部３１を設ける。第１孔部２５からの距離を長く確保するほど、フック部材２の回転を防止する効果が高まる。当該第２孔部３１には、例えば、別の固定部材２４である細い釘部材２４ｂ２４ｂを挿通する。さらに、釘部材２４ｂの挿通方向を、前記第１孔部２５と第２孔部３１とを結ぶ方向に対して直角にならないように設定してある。これにより、フック部材２を回転させようとする力が作用したとき、釘部材２４ｂの挿通方向と第２孔部３１の回転方向とが異なるため釘部材２４ｂが抜け難くなり、壁１に対するフック部材２の取付を強化することができる。
【００３６】
また、図７に示すごとく、第１孔部２５の近傍にも二箇所の第２孔部３１を設ける。これら第２孔部３１の挿通方向も、図３および図７（イ）に示すごとく、前記第１孔部２５と第２孔部３１とを結ぶ線に対して直角ではない角度に設定してある。
【００３７】
さらに、上記何れの釘部材２４ｂも壁１に対して垂直ではなく、所定の傾斜角度を持たせてある。本構成であれば、仮にフック部材２を壁１から離間させる方向に外力が作用した場合でも、フック部材２が離間しようとする方向と、釘部材２４ｂの打ち込み方向とが異なる。このため、釘部材２４ｂが抜け難く、フック部材２を壁１に強固に固定することができる。
【００３８】
上記釘部材２４ｂの頭部は、フック部材２の表面に突出して残存する。しかし、第１孔部２５の近傍に設けた２箇所の第２孔部３１は、第１係止部２７に形成した面取部３３に開口させている。また、第２係止部３０の近傍に設けた第２孔部３１に対しては、図８に示すごとく、電源コード３を引掛ける掛止め部１７の孔部が対向する。よって、夫々の釘部材２４ｂの頭部が他物に干渉することはない。
【産業上の利用可能性】
【００３９】
本発明は、例えば、ガス警報器や火災警報器、あるいは、空気汚れ警報器等、一般に用いられる壁掛け式の各種の警報器に適用可能である。
【図面の簡単な説明】
【００４０】
【図１】本発明の警報器を壁に固定した状態を示す側面図
【図２】本警報器の背面を示す斜視図
【図３】本警報器を壁に固定する情況を示す斜視図
【図４】本警報器の背面側から見た分解斜視図
【図５】本警報器を壁に固定する情況を示す分解斜視図
【図６】本警報器における電源コードの処理情況を示す背面図
【図７】本警報器のフック部材の詳細示す図
【図８】本警報器の第１ケース部材を示す図
【符号の説明】
【００４１】
１    壁
２    フック部材
３    電源コード
４    警報器本体
４ｂ  裏側部材
９    第１ケース部材
１０  第２ケース部材
１１  収容部
１４  ツメ部
２０  凹部
２７  第１係止部
３０  第２係止部
３１  第２孔部
Ｋ    警報器
【図１】
2006338308.tif 000003
【図２】
2006338308.tif 000004
【図３】
2006338308.tif 000005
【図４】
2006338308.tif 000006
【図５】
2006338308.tif 000007
【図６】
2006338308.tif 000008
【図７】
2006338308.tif 000009
【図８】
2006338308.tif 000010